(57)【要約】      （修正有）【課題】永久磁石を回転機関に応用する。【解決手段】主たる構成物は往復動体Ａ１体、回転体Ｂ２体で往復動体Ａは回転体Ｂの中心線上を往復動するものである。往復動体Ａは車体３、機能体１、制御体２の３つで構成されており、車体上に機能体１と制御体２が装備されている。機能体１は往復動の動力を得るために、前後端に取り付けた磁石が取り付けてある。制御体は回転体Ｂの円筒内を往復動により、回転体Ｂを回転、制御させるためのもので、螺旋状の案内板（溝）が設けてある。回転体Ｂの構造は中空円筒に円板を取り付けたものである。円板の周辺には磁石がほぼ等角度に複数個取り付けてある。回転により、機能体の磁石と対峙して、磁力による反発力、吸引力が発生する。【選択図】図６
2014219092.tif 000002
【特許請求の範囲】
【請求項１】
定位置で回転できる回転体２体の間の中心線上に、レール上を移動可能な往復動体１体を有する機関である。往復動体の車体上に機能体と制御体を装備して、往復動により、制御体が回転体の回転を制御することで、回転体の磁石と機能体の磁石を対峙させて、反発力と吸引力を発生させて、往復動体を往復動させる機関。
機能体は前後に磁石を取り付けて、回転体の円板に取り付けられている磁石と対峙できるようにしてある。制御体は回転体の中空内径部を出入りできる構造として、回転体を回転させるための螺旋状の案内板を取り付けた物で、回転体の案内ピンローラーを案内することで往復動により、回転体を回転させるもの。
回転体は中空円筒に円板を取り付け、円板の周辺には機能体の磁石と対峙できるように等角位置に磁石が取り付けてある。回転体が外力により自由に回転できるように、円板を挟んで、円筒の外径部を回転ローラーで支持してある。外力を受けて回転するために、内径部の入口付近に案内ピンローラーが取り付けてあるもの。
【発明の詳細な説明】
【技術分野】
【０００１】  本発明は、最近の永久磁石の技術革新により磁力が強力になっている。永久磁石のこの磁力を応用することで、効率的に往復運動をさせる機関に関するものである。
【背景技術】
【０００２】  従来、往復運動する機関は、ガソリンなどによる爆発力を利用したものが主であり、永久磁石を利用した往復運動機関は実用化されていない。
【先行技術文献】
【０００３】  特になし
【発明の概要】
【発明が解決しようとする課題】
【０００４】  従来、往復運動する機関は、ガソリンや軽油による内燃機関、蒸気力による蒸気機関などが主である。なぜなら、永久磁石を往復運動する機関に使用するためには、次のような欠陥があり、利用できなかった。
１）磁力が弱い。
２）磁極の変化が容易でない。
【課題を解決するための手段】
【０００５】  本発明は、磁石の磁力が強力になっているので、この磁力を応用した往復動機関の発明に関するものである。
１）磁力を利用するために、一方は反発力、他方は吸引力を発生する仕組みとした。つま    り、移動可能な往復動体の前後に磁石を取り付けて、一方は反発力、他方は吸引力が    働くようにしてある。
２）相対する磁石の磁極の変化は、回転体の円板の周辺に磁石を取り付けて、回転させる    ことで磁極を変化させることにした。回転体は円筒に円板を取り付けたもので、円筒    の外径を４つの回転ローラーで支持して、自由に回転が出来るようにしてある。
本発明の主たる構成物は、次の２つで往復動体と回転体である。往復動体は、車体、機能体、制御体の３つの部分で構成され、車体はレール上を自由に動けるものである。機能体と制御体は車体上に設置されており、機能体は前部および後部の先端に永久磁石を装備して、対峙する回転体の磁石との間で、磁力を受けて、反発力と吸引力により往復動するためのものである。制御体は回転体を回転させるためのもので、螺旋状の案内板が装備されている。
回転体は中空の円筒と円板で構成されており、回転体は円板を挟んで、円筒の外径部を４つの回転ローラーで支持して、自由に回転できる。円筒の内径部の入口付近に案内ピンローラーがあり、往復動体の往復動により制御体の案内板にそって動くことで、回転体を回転させることができるものである。同時に回転体の位置を保持するために、回転体には位置円板を設け、静止体の位置保持装置により、定位置を保持する。また、制御体をスムーズに動かすために、円筒内にベアリングが装備されている。回転体の円板の周辺には複数の磁石が設置されていて、制御体の案内板により、これらの磁石の位置は制御されており、機能体の前後に取り付けられた磁石と対峙して、前後２組の磁石の間で反発力、吸引力を発生させる。これらの仕組みにより往復動体は往復動をすることになる。
【発明の効果】
【０００６】  以上に述べたように本発明は、往復動体Ａの１体と回転体Ｂの２体を構成したもので、往復動体Ａは２体の回転体Ｂからの磁力により、反発力と吸引力を受けるものである。
往復動体Ａは、機能体１、制御体２、車体３で構成されており、レール７の上を往復動する。機能体１の前後には磁石４，５が取り付けられている。これは回転体Ｂの磁石１３と対峙して、反発力と吸引力をうけるものである。制御体２には、往復動することにより、回転体Ｂの回転を制御するための螺旋状の案内板６が取り付けてある。この案内板６は回転体Ｂの案内ピンローラー１４を案内するものである。
回転体Ｂは、中空の円筒１１、円板１２および位置円板１７で構成され、円板１２の周辺にはほぼ等分角に複数の磁石１３が取り付けてある。回転体Ｂを回転させるために、円筒１１の外径は４つの回転ローラー１６に支持されている。さらに円筒１１の内径部には制御体２に装備されている案内板６に沿って、回転体Ｂを動かすための案内ピンローラー１４が取り付けられおり、制御体２の往復動により、回転体Ｂは回転する。同時に制御体２の往復動をスムーズに行うためのベアリング１５が装備されている。回転体Ｂは往復動体Ａより、反力を受けることになるから、位置を保つため、位置円板１７が取り付けてある。それにより、位置を保持するための位置円板保持体１８が設置される。
始動時には、外部からの力で、往復動体Ａを一方の回転体Ｂに近接させた状態にする。機能体１の磁石５が円板１２の磁石１３の磁力を受け反発する状態に設定して、外力を解除すると、反力により、往復動体Ａは反対方向へ動く、反対側の回転体Ｂの円板１２の磁石１３は、機能体２の磁石４を引きつける状態に設定してあるので、吸引力により、さらに反対側へ動く。反対側に近接する時点で、回転体Ｂの回転により、円板１２の磁石１３は反発の組み合わせに設定してあるので、元の方向に動くことになる。
このように、機能体２の往復動により、機能体２の前後に取り付けた磁石４，５と、制御体２により回転体Ｂの円板１２の磁石１３の組み合わせを制御することで、機能体２は回転体Ｂの円板１２の磁石１３の間で反発力、吸引力を受ける。それゆえ、往復動体Ａが往復動をすることになる。このような永久磁石を応用した往復動体は、特別なエネルギーを必要としないため、地球環境改善のために、世界中に貢献できる製品であり、家庭の発電装置、自動車の動力源、船の動力などに利用ができ、世界の人々に役立つ製品として提供することができる。
【図面の簡単な説明】
【０００７】
【図１】本発明の往復動体Ａの図面である。
【図２】往復動体Ａの断面図である。
【図３】本発明の回転体Ｂの図面である。
【図４】回転体Ｂを回転させるための回転ローラー１６の図面である。
【図５】本発明の往復動体の位置と回転体の磁極を説明するための図面である。
【図６】本発明の全体側面図である。
【発明を実施するための形態】
【０００８】  以下、本発明の実施の形態を図面に従って説明する。
図１は往復動体Ａの側面を示しており、機能体１、制御体２、車体３により構成されている。機能体１と制御体２は車体３の上に固定装備されている。機能体１には、前後に磁石４，５が取り付けられている。制御体２には、回転体Ｂを回転させるために螺旋状の案内板６が設けてある。制御体２が往復することで、回転体Ｂを１回転させるものである。
図２は往復動体Ａの断面を示した図である。
図３は回転体Ｂを示しており、回転体Ｂは円筒１１、円板１２および位置円板１７で構成されている。回転体Ｂの回転のために、円筒１１の内径部の入口付近に案内ピンローラー１４が取り付けてある。制御体２のスムーズな往復運動のため、ベアリング１５が取り付けてある。往復動体Ａの反力による位置保持のため、位置円板１７を利用して、位置円板保持体１８が設置されており、定位置を維持する。
円板１２の周辺にはほぼ等分角に複数の磁石１３が取り付けられている。回転体Ｂの回転により、４つの磁石１３の磁極は、機能体２の磁石４，５の磁極に対して、反発力および吸引力が働く組み合わせにしてある。
図４は回転体Ｂを支持、回転させるための回転ローラー１６の図である。
図５は機能体１の往復動の位置と回転体Ｂの円板１２の回転角度、それぞれの角度における円板１２の磁石１３の磁極の設定を説明したものである。機能体１の位置と働く力は
０度で右側にＮ−Ｎの反発力、左側にＮ−Ｓの吸引力で左へ移動
９０度で右側にＮ−Ｎの反発力、左側にＮ−Ｓの吸引力で左へ移動
１８０度で右側にＮ−Ｓの吸引力、左側にＳ−Ｓの反発力で右へ移動
２７０度で右側にＮ−Ｓの吸引力、左側にＳ−Ｓの反発力で右へ移動
３６０度で右側にＮ−Ｎの反発力、左側にＮ−Ｓの吸引力で左へ移動する。
図６図は、往復動体Ａと回転体Ｂを組み合わせた全体の側面図である。
【符号の説明】
【０００９】  Ａ  往復動体
１  機能体                  ２  制御体              ３  車体
４  磁石                    ５  磁石                ６  案内板
７  レール
Ｂ  回転体
１１  円筒                  １２  円板              １３  磁石
１４  案内ピンローラー      １５  ベアリング        １６  回転ローラー
１７  位置円板              １８  位置円板保持体
【図１】
2014219092.tif 000003
【図２】
2014219092.tif 000004
【図３】
2014219092.tif 000005
【図４】
2014219092.tif 000006
【図４】
2014219092.tif 000007
【図６】
2014219092.tif 000008
【手続補正書】
【提出日】平成25年6月21日(2013.6.21)
【手続補正１】
【補正対象書類名】図面
【補正対象項目名】全図
【補正方法】変更
【補正の内容】
【図１】
2014219092.tif 000009
【図２】
2014219092.tif 000010
【図３】
2014219092.tif 000011
【図４】
2014219092.tif 000012
【図５】
2014219092.tif 000013
【図６】
2014219092.tif 000014